(57)【要約】【課題】目盛りを見なくても一目で液量を把握できるようにするための計量キャップを提供する。【解決手段】ボトル１０と、内容液を注出するノズル１２を有し、前記ボトル１０に装着するノズルキャップ１４と、前記ノズル１２から注出された内容液を計量する計量筒部１６を有し、前記ノズルキャップ１４に着脱自在に装着される計量キャップ１８とから構成される容器であって、前記計量筒部１６は、円形断面の筒状に形成されており、各内筒２２（２２ａ、２２ｂ、２２ｃ）は、計量筒部１６の底部より開口部側に向かい延在するように、中空異形筒状に互いに形状が異なりかつ概略同心状に立設している。【選択図】図１
2013133119.tif 000002
【特許請求の範囲】
【請求項１】
ボトルと、内容液を注出するノズルを有し、前記ボトルに装着するノズルキャップと、前記ノズルから注出された内容液を計量する計量筒部を有し、前記ノズルキャップに着脱自在に装着される計量キャップとから構成される容器において、
前記計量キャップの計量筒部には、該計量筒部と高さ、及び、断面形状が異なる一つ、または複数の内筒を有することを特徴とする計量キャップ。
【発明の詳細な説明】
【技術分野】
【０００１】
本発明は、液体、粉体、粒体の洗剤や調味料等の内容物を計量する計量キャップに関する。
【背景技術】
【０００２】
液体、紛体、粒体を計量して使用する、液体洗剤、柔軟剤等の容器は、ボトルと、内容液を注出するノズルを有し、前記ボトルに装着されるノズルキャップと、前記ノズルから注出される内容液を計量する計量筒部を有し、ノズルキャップに着脱自在に装着される計量キャップとから構成される容器が一般的である。
【０００３】
この計量キャップは、内容液を計量して使用した後はノズルキャップに装着して収納可能なため、便利であるが、計量する液量を視認しやすくするために、目盛りを刻印したり、印刷により表示したりする必要があった。
【０００４】
目盛りを見ながら計量することは、液量を把握するための一つの方法であるが、視力の低下した高齢者などにとっては神経を使う行動であり、より液量をわかりやすく把握できるようにする方法が望まれていた。
【０００５】
従来技術として、特開平９−２２１１５３号公報（：特許文献１）には、計量キャップに液体を入れる凹部を形成し、この凹部の開口部における屈曲部（段差部）を計量の目印として、正確に計量できるようにした計量キャップが開示されている。
【０００６】
また、例えば特表２００９−５４１００９号公報（：特許文献２）には、記載の薬剤の計量・希釈用カップにおいて、計量室が本体と同心の減少直径を有する円筒形領域あるいは円錐形領域が形成されていて、同心の円筒形領域又は円錐形領域に液体を注入して計量するものが開示されている。
【０００７】
上記の特許文献１、２に記載の計量手段では、円筒状の部分に注ぎ入れる際に、段差部で液が広がるギリギリまで目視で確認して注ぎ入れて液体を計量する構造になっている。
【０００８】
しかしながら、特許文献１、２に開示の計量手段では、円筒形状部分または円錐形状部分では高さ方向で横断面形状があまり変化せず、段差部に至った液体が広がったことを見て初めて目標の箇所まで液体で満たされたことが分かるので、計量部に液体が満たされていることを確認するのが困難なものであった。
【先行技術文献】
【特許文献】
【０００９】
【特許文献１】特開平９−２２１１５３号公報
【特許文献２】特表２００９−５４１００９号公報
【発明の概要】
【発明が解決しようとする課題】
【００１０】
上記のように目盛りを見なくても、段差を見ながら計量をするのに一目では液面の変化を容易に把握できなかった。
【００１１】
本発明は、上記問題点に鑑みてなされたものであって、目盛りを見なくても一目で液量を把握できるようにするための計量キャップを提供することを課題とする。
【課題を解決するための手段】
【００１２】
本発明は、ボトルと、内容液を注出するノズルを有し、前記ボトルに装着するノズルキャップと、前記ノズルから注出された内容液を計量する計量筒部を有し、前記ノズルキャップに着脱自在に装着される計量キャップとから構成される容器において、
前記計量キャップの計量筒部には、該計量筒部と高さ、及び、断面形状が異なる一つ、または複数の内筒を有することを特徴とする計量キャップである。
【００１３】
本発明において、複数の内筒が側方向に凹凸が形成され、各内筒は凹凸数が異なる形状に形成されていることが好適である。
【００１４】
また、本発明において、前記計量筒部が円形断面であり、複数の内筒が多角形断面であって内側ほど辺の少ない多角形であることが好適である。
【発明の効果】
【００１５】
本発明の計量キャップによれば、計量キャップの計量筒部に、高さが異なり、かつ断面形状が異なる一つのまたは複数の内筒を有するので、計量した液量によって液面の形状が変化し、目盛りを見なくてもその形状を見るだけで液量を目視によって簡単に把握でき、液体の計量が容易であるという優れた効果を奏し得る。
【図面の簡単な説明】
【００１６】
【図１】本発明の実施形態１に係る計量キャップの説明であり、（ａ）が計量キャップを設けた容器の側面図、（ｂ）が計量キャップ及びノズルキャップを組み立てた側面図、（ｃ）が計量キャップの底面側から見た斜視図、（ｄ）が計量キャップの開口部から見た斜視図である。
【図２】実施形態１に係る計量キャップの説明図であり、（ａ）が開口部を上方に向けた状態の側面図、（ｂ）がＢ−Ｂ線に沿う端面図、（ｃ）がＣ−Ｃ線に沿う端面図、（ｄ）がＤ−Ｄ線に沿う端面図である。
【図３】本発明の実施形態２に係る計量キャップの説明であり、（ａ）が計量キャップを設けた容器の側面図、（ｂ）が計量キャップの底面側から見た外観図、（ｃ）が開口部を上にした状態の外観図、（ｄ）が開口部側から見た斜視図である。
【図４】実施形態２に係る計量キャップの説明図であり、（ａ）が開口部を上にした状態の側面図、（ｂ）が（ａ）のＢ−Ｂ線に沿う端面図、（ｃ）が同Ｃ−Ｃ線に沿う端面図、（ｄ）が同Ｄ−Ｄ線に沿う端面図である。
【発明を実施するための形態】
【００１７】
以下、本発明の実施形態について添付図面を参照して説明する。
図１、図２は本発明の実施形態１に係る容器用の計量キャップ１８の説明図である。
【００１８】
図１に示すように、実施形態１に係る計量容器は、ボトル１０と、内容液を注出するノズル１２を有し、前記ボトル１０に装着するノズルキャップ１４と、前記ノズル１２から注出された内容液を計量する計量筒部１６を有し、前記ノズルキャップ１４に着脱自在に装着される計量キャップ１８とから構成される容器である。
【００１９】
詳しくは、前記ボトル１０は、ブロー成形等で形成されて柔軟剤、洗剤または漂白剤等の液体や粉体や粒体等の各種の内容物を収容するためのものであって、図１に示す正立状態で、膨出した本体よりも細径に形成された円筒状の口元部１０ａが上方に突出形成され、その口元部１０ａの周囲に雄ネジ山が形成されたものである。
【００２０】
また、ノズルキャップ１４は、図１に示すように、下部が円筒状で内部に雌ネジが形成されており、上部が椀状に凹んでその中央部に略筒状のノズル１２が上方に向けて立設している。また、ノズルキャップ１４の上部外周には雄ネジが形成されている。ノズルキャップ１４の下部の雌ネジは前記ボトル１０の口元部１０ａに被せて螺合し、また、ノズルキャップ１４の上部の雄ネジには計量キャップ１８のフランジ部２０が被されてその内部の雌ネジが螺合して装着し固定するものである。
【００２１】
図１、図２に示すように、実施形態１に係る計量キャップ１８には、その内部に、該計量筒部１６と高さ、及び、断面形状が異なる一つ、または複数の内筒２２を有する。
【００２２】
詳しくは、図１（ａ）〜（ｃ）に示す上向きの軸方向一端が閉じたドーム形状を呈しており、下向きの他端に計量筒部１６が延びて形成されており、該計量筒部１６外周部に前記フランジ部２０が形成されている。
【００２３】
実施形態１では、図２に示すように、計量筒部１６の内部に、該計量筒部１６より軸方向の高さが低く、及び、計量筒部１６と断面形状が異なる３つの内筒２２（２２ａ、２２ｂ、２２ｃ）を有する。
【００２４】
前記計量筒部１６は、円形断面の筒状に形成されている。各内筒２２（２２ａ、２２ｂ、２２ｃ）は、計量筒部１６の底部より開口側に向けて（軸方向に沿って）延在し、中空異形筒状に互いに形状が異なりかつ概略同心状に立設している。
詳しくは、図１（ｄ）や図２に示すように、各内筒２２（２２ａ、２２ｂ、２２ｃ）は、概略同心上に側方向に凹凸の有る、横断面視で複数の湾曲形状部が連続した概略花びら形状であり、かつ、各内筒２２（２２ａ、２２ｂ、２２ｃ）が互いの凹凸数（湾曲形状部の数）が外側よりも内側が少ない、互いに異なるものに形成されている。
また、各内筒２２（２２ａ、２２ｂ、２２ｃ）は高さ（軸方向の端部の高さ）が、外側に位置する内筒２２ａが前記計量筒部１６より低く、該内筒２２ａよりもその内側の内筒２２ｂが低く、該内筒２２ｂよりもさらに内側の内筒２２ｃが低くなっている。つまり、順次内筒２２ａ、２２ｂ、２２ｃが低くなっている。
【００２５】
なお、計量キャップ１８の材質には、例えば、ポリエチレン、ポリプロピレン、ポリエチレンテレフタレート等のプラスチックが挙げられる。
【００２６】
実施形態１では、計量キャップ１８によれば、計量筒部１６が、その内部に高さが異なり、かつ断面形状が異なる一つのまたは複数の内筒２２を有するので、計量した液量によって液面の形状が変化する。つまり、ノズル１２から液体を計量キャップ１８に注ぎ、内筒２２に液体が入ると、まず、最も内側の内筒２２ｃが満たされるので、図２（ｄ）に示すような、内筒２２ｃの開口端の形状に応じた液面形状になる。したがって、計量筒部１６内に注がれた液体は、内筒２２ｃの内容積に応じたものになる。
【００２７】
さらに、液体を注ぐと、液体は前記内筒２２ｃを乗り越えて外側に隣接する内筒２２ｂ内に液体が入り込む。その後、液体で内筒２２ｂ内が満たされて図２（ｃ）に示すように、内筒２２ｂの開口端の形状に応じた液面形状になる。
【００２８】
その後、液体を注ぐと、隣接する内筒２２ａに液体が満たされて図２（ｂ）に示すように、内筒２２ａの開口端の形状に応じた液面形状になる。
【００２９】
したがって、実施形態１の計量キャップ１８によれば、計量キャップ１８の計量筒部１６が、その内部に高さが異なり、かつ断面形状が異なる一つのまたは複数の内筒２２（２２ａ、２２ｂ、２２ｃ）を有するので、計量した液量によって液面の形状が変化し、目盛りを見なくてもその液面形状を見るだけで液量を目視によって簡単に把握でき、液体の計量が容易である。
【００３０】
次に、本発明の実施形態２に係る計量キャップ１８を図３、図４によって説明する。実施形態１と同様部分に同一符号を付している。
【００３１】
この実施形態２に係る計量キャップ１８は、計量筒部１６がフランジ２０の下端面を境にその断面形状を異とする符号１６ａと１６ｂとで示すものに構成され、該計量筒部１６ａの内側に１つの内筒２４が計量筒部１６ａの底部より開口側に向けて（軸方向に沿って）形成されており、当該計量筒部１６ａが円形、１６ｂが三角形、内筒２４が四角形という断面で構成されている。
【００３２】
実施形態２では、計量キャップ１８によれば、計量筒部１６が、軸方向に沿って断面形状が異なる２つの計量筒部１６（１６ａ、１６ｂ）を有し、かつ、計量筒部１６（１６ａ、１６ｂ）と異なる断面形状の内筒２４を有するので、計量した液量によって液面の形状が変化する。
【００３３】
つまり、ノズル１２から液体を計量キャップ１８の計量筒部１６内に注ぐと、まず、最も下方（奥側）の計量筒部１６ｂが満たされるので、図４（ｄ）に示すような、計量筒部１６ｂの断面形状に応じた断面三角形状の液面形状になる。したがって、計量筒部１６内に注がれた液体は、計量筒部１６ｂの内容積に応じたものになり、つまり、その内容積分の液体が計量される。
【００３４】
さらに、液体を注ぐと、液体は前記計量筒部１６ｂの上端面を乗り越えて連続する内筒２４内に液体が入り込む。その後、液体で内筒２４内が満たされるまで図４（ｃ）に示すように、内筒２４の開口端の断面四角形形状に応じた液面形状になる。この場合、計量筒部１６内に注がれた液体は、計量筒部１６ｂ及び内筒２４の内容積を合計した内容積に応じたものになり、つまり、その内容積分の液体が計量される。
【００３５】
その後、液体を注ぐと、内筒２４を乗り越えて隣接する計量筒部１６ａに液が入り込み図４（ｂ）に示すように、計量筒部１６ａの開口端の円形形状に応じた液面形状になる。この場合、計量筒部１６内に注がれた液体は、計量筒部１６ａ及び１６ｂの内容積を合計した内容積に応じたものになり、つまり、その内容積分の液体が計量される。
【００３６】
したがって、実施形態２の計量キャップ１８によれば、計量筒部１６がフランジ２０の下端面を境にその断面形状を異とする１６ａと１６ｂとから構成され、該計量筒部１６ａの内側に１つの内筒２４が計量筒部１６ａの底部より開口側に向けて（軸方向に沿って）形成されており、当該計量筒部１６ａが円形、１６ｂが三角形、内筒２４が四角形という断面で構成されているので、計量した液量によって液面の形状が変化し、目盛りを見なくてもその液面形状を見るだけで液量を目視によって簡単に把握でき、液体の計量が容易である。また、実施形態１に係る計量キャップ１８では、内筒２２（２２ａ、２２ｂ、２２ｃ）が隣接していて射出成型の金型が複雑になりやすいのに比較して、実施形態２に係る計量キャップ１８では、計量筒部１６の軸方向に内筒２４が一つのみ形成されることから射出成型の金型が簡易構造になり、かつ、射出成型時の抜き型も容易で生産効率が高くなる。
【００３７】
なお、前記実施形態１では、内筒２２（２２ａ、２２ｂ、２２ｃ）が３つ設けられ、実施形態２では、内筒２４が１つ設けられていたが、本発明においては、これら内筒の形成数は１つまたは複数であれば４以上でもよく、また、他の断面形状にする等、本発明の範囲内で変形実施可能である。
【００３８】
また、本発明において、内容物は上記のように液体に限らず、液体と同様に計量キャップに注いで計量可能な流動性のある粉体や粒体の内容物の計量キャップにも同様に実施できる。
【産業上の利用可能性】
【００３９】
本発明の計量キャップは、液体柔軟剤、洗剤、漂白剤等の各種液体の計量の他、粒状の洗濯洗剤、または粒状の自動食器洗浄機用洗剤等の粒状洗剤、粉体調味料、粉体食品等の粉粒物を内容物として計量する場合にも使用できる。
【符号の説明】
【００４０】
１０  ボトル
１２  ノズル
１４  ノズルキャップ
１６  計量筒部
１６ａ、１６ｂ  実施形態２に係る各計量筒部
１８  計量キャップ
２０  フランジ部
２２（２２ａ、２２ｂ、２２ｃ）  実施形態１に係る内筒（各内筒）
２４  実施形態２に係る内筒
【図１】
2013133119.tif 000003
【図２】
2013133119.tif 000004
【図３】
2013133119.tif 000005
【図４】
2013133119.tif 000006